(57)【要約】【課題】被洗浄車両の表面に沿って移動しながら乾燥用空気を吹き付けるトップ送風ノズルにノズル本体の周囲を巻回するように配設されるリング状検知体を設けた洗車機において、トップ送風ノズルが傾斜動作しても容易に変位せずに誤動作しないリング状検知体を備えた洗車機を提供する。【解決手段】リング状部３１とリング固定部材３２と支持部ＳＤと検知手段Ｓ１と、を有し、支持部ＳＤに、リング固定部材３２に設けるピン部材３６を摺動支持する底部ガイド面と傾斜ガイド面とを備えた三角溝状ガイド部３５を設け、さらに、ピン部材を底部ガイド面方向に付勢する付勢手段３７を設けたリング状検知体３０を備えたトップ送風ノズル２１とした。【選択図】図３
2015116996.tif 000002
【特許請求の範囲】
【請求項１】
被洗浄車両の表面に沿って移動しながら乾燥用空気を吹き出すトップ送風ノズルを備え、被洗浄車両と洗車機本体を前後方向に相対移動させながら被洗浄車両の洗車を行う洗車機であって、
前記トップ送風ノズルは、乾燥用空気を吹き付ける吹出部を備えたノズル本体と、
該ノズル本体の下方、前方および後方に位置するリング状部と、該リング状部を保持するリング固定部材と、当該リング状部を前記ノズル本体に対する上方向と回動する方向に移動可能に支持する支持部と、前記リング状部の変位を検知する検知手段と、を有するリング状検知体と、
を備え、
前記支持部に、前記リング固定部材に設けるピン部材を摺動支持すると共に底部ガイド面と該底部ガイド面から左右の上方に傾斜して延設される傾斜ガイド面とを備えた三角溝状ガイド部を設け、さらに、前記ピン部材を前記底部ガイド面方向に付勢する付勢手段を設けたことを特徴とする洗車機。
【請求項２】
前記支持部は、前記ノズル本体の上面に装着するベース部材と、このベース部材と所定間隔離間して装着される対向面体とを有し、ベース部材と対向面体との間に前記リング固定部材を摺動可能に嵌め込み、前記ベース部材に前記リング固定部材の前方部と後方部の二か所を下方から支持するリング支持部を設けていることを特徴とする請求項１に記載の洗車機。
【請求項３】
前記リング固定部材は、前記リング状部の上部中央部の所定間隔離間した２点を保持する前方取付部と後方取付部を備え、前方取付部と後方取付部との中間に付勢手段取付部を設け、この付勢手段取付部の上方に前記ピン部材を装着したことを特徴とする請求項１または２に記載の洗車機。
【請求項４】
前記付勢手段は、その一端側を前記ベース部材に固定し、他端側を前記付勢手段取付部に固定するコイルスプリングから成ることを特徴とする請求項２または３に記載の洗車機。
【請求項５】
前記検知手段は、前記ピン部材が前記底部ガイド面からの離反を検知することにより前記リング状部の変位を検知することを特徴とする請求項１から４のいずれかに記載の洗車機。
【請求項６】
前記ベース部材と前記対向面体との両方に前記三角溝状ガイド部を設けたことを特徴とする請求項２から５のいずれかに記載の洗車機。
【発明の詳細な説明】
【技術分野】
【０００１】
本発明は、例えば給油所に設置され洗車に使用される洗車機に関し、特に、被洗浄車両の上面に沿って昇降移動しながら乾燥用空気を吹き付けるトップ送風ノズルを備えた洗車機に関する。
【背景技術】
【０００２】
従来、洗車に使用される洗車機としては、給油所などに設置されて、被洗浄車両と洗車機本体を前後方向に相対移動させながら、被洗浄車両に貯液タンクに貯留された液剤や洗浄水を噴射して、また、ブラッシングして洗車を行う構成とされる門型洗車機が知られている。
【０００３】
従来の門型洗車機の洗浄工程においては、先ず、洗浄水を用いて汚れを落とし、次いでシャンプーなどの液剤を用いて洗浄し、さらに洗浄水を用いて水洗いする。この洗浄工程の後で、各送風ノズルから送風して乾燥する乾燥工程が行われる。また、必要に応じてワックスや撥水コートなどの液剤塗布工程を適宜組み合わせて洗車を行う。このように、洗車の際に用いる液剤としては、各種のシャンプーやワックスやコート類が用いられており、それぞれ専用の貯液タンクに貯留され、タンク内に挿入されたチューブを介して、洗車工程の処理に応じて噴射され消費される。また、複数の洗車モードから所望のモードを選択し、使用する液剤の種類を選択して所定の洗車モードに設定する操作パネルやリモートパネルを備えている。操作パネルは洗車機本体に配設しているが、リモートパネルは洗車機本体から離れた位置に設置して、このリモートパネルと操作パネルとを電気的に接続して、リモートパネルに設定された洗車モードにより、洗車機を駆動可能にしている。
【０００４】
上記した洗車機においては、被洗浄車両の側面を洗浄するためのサイドブラシと上面を洗浄するためのトップブラシと、洗浄した後で乾燥するためのサイド送風ノズルとトップ送風ノズルを備えているものが知られている。また、サイドブラシやトップブラシを被洗浄車両に軽く当接させた状態で洗浄を行うために、例えば、左右一対のサイドブラシを左右方向に移動可能（開閉可能）に支持し、トップブラシを上下に昇降可能に支持して、それぞれのブラシと車体との反発バランスにより、ブラシ位置を車体表面から一定距離に保つようにしている。また、それぞれのブラシを回転駆動するモータの電流値を検知し、この電流値を所定範囲内に抑制するように開閉移動もしくは昇降移動制御することにより、被洗浄車両の形状に沿って洗浄することが行われている。
【０００５】
さらに、被洗浄車両の車体形状を検知する車体検知センサを配設して、検知された車体の上面や側面に各ブラシや各送風ノズルなどの洗車具を近接させることも行われている。特に、上下方向に昇降移動して洗車操作を行うトップブラシやトップ送風ノズルなどの昇降洗車具は、その自重により下向きに荷重が付加されるので、車体表面に近接はしても接触しない工夫がなされている。
【０００６】
例えば、昇降移動する部材の下端部に車体や障害物を検知するためのセンサを設けて、下降移動の途中で当該センサが車体や障害物を検知すると、そこで移動を停止させてそれ以上は下降させないように制御することが行われている。
【０００７】
また、車体表面に接近して乾燥用空気を吹き付けるトップ送風ノズルの車体への異常接近を検知するために、ノズル本体の下方、前方および後方に位置する部分を有するリング状検知体を設け、このリング状検知体が車体と接触する際の変位を検知することにより、トップ送風ノズルの駆動を制御して、トップ送風ノズルが車体に接触することを防止することが行われている（例えば、特許文献１参照）。
【０００８】
また、リング状検知体の中立維持を凹Ｖ状面と凸Ｖ状面とを当接させて図ると共に、棒状樹脂体にて支持し、樹脂体の弾性力に抗して変位させて、この変位を検知することによりトップ送風ノズルの駆動を制御する構成とした洗車機も既に提案されている（例えば、特許文献２参照）。
【先行技術文献】
【特許文献】
【０００９】
【特許文献１】特公平５−７７５４４号公報
【特許文献２】特許第４２８５４２９号公報
【発明の概要】
【発明が解決しようとする課題】
【００１０】
トップ送風ノズルは車体の上面に沿って乾燥用空気を吹き付けるので、車体表面が傾斜した部分では、吹出し口を車体表面に対向させるようにノズル本体を傾斜させることが好ましい。従って、ノズル本体の周囲を周回するようにして配設されるリング状検知体は、この傾斜駆動の際に変位せず誤動作しないことが望まれる。
【００１１】
しかしながら、特許文献１に記載の発明では、２本の引っ張りバネを用いてリング状検知体の中立維持を図っているので、ノズル本体を傾ける操作の際に、センサと検知板がずれてしまい誤検知し易くなっていた。
【００１２】
特許文献２に記載の発明では、リング状検知体の中立維持を簡単且つ安価に構成するために、凹Ｖ状面を有する受け部材と凸Ｖ状面を有する遊動部材とを嵌め合わせると共に、バネ部材は用いずに弾性を有する棒状樹脂体を用いて遊動部材を支持している。
【００１３】
また、棒状樹脂体の両端部を筒状保持体にて支持しリング状検知体を遊動部材に取り付けているので、ノズル本体を傾けても、リング状検知体が容易に変位せずセンサと検知板がずれ難くなっていることは明らかであるが、より簡単な構成により、リング状検知体が誤動作しないことが望まれる。
【００１４】
本発明は、上記問題点に鑑み、被洗浄車両の表面に沿って移動しながら乾燥用空気を吹き付けるトップ送風ノズルにノズル本体の周囲を巻回するように配設されるリング状検知体を設けた洗車機において、トップ送風ノズルが振動または傾斜動作しても容易に変位せずに誤検知しないリング状検知体を備えた洗車機を提供することを目的とする。
【課題を解決するための手段】
【００１５】
上記目的を達成するために本発明は、被洗浄車両の表面に沿って移動しながら乾燥用空気を吹き出すトップ送風ノズルを備え、被洗浄車両と洗車機本体を前後方向に相対移動させながら被洗浄車両の洗車を行う洗車機であって、前記トップ送風ノズルは、乾燥用空気を吹き出す吹出部を備えたノズル本体と、該ノズル本体の下方、前方および後方に位置するリング状部と、該リング状部を保持するリング固定部材と、当該リング状部を前記ノズル本体に対する上方向と回動する方向に移動可能に支持する支持部と、前記リング状部の変位を検知する検知手段と、を有するリング状検知体と、を備え、前記支持部に、前記リング固定部材に設けるピン部材を摺動支持すると共に底部ガイド面と該底部ガイド面から左右の上方に傾斜して延設される傾斜ガイド面とを備えた三角溝状ガイド部を設け、さらに、前記ピン部材を前記底部ガイド面方向に付勢する付勢手段を設けたことを特徴としている。
【００１６】
この構成によると、トップ送風ノズルに設けるリング状検知体のリング状部が車体表面に接触した際には、このリング状部の変位を検知手段を介して検知することにより、トップ送風ノズルの移動を停止して速やかに車体表面から離反させることができる。また、リング状部が回動する方向に変位する場合には、ピン部材が三角溝状ガイド部の傾斜ガイド面に沿って摺動移動するので、リング状部を滑らかに変位させることが可能になる。また、ノズル本体が傾斜しても、ピン部材が底部ガイド面方向に付勢されて初期位置が固定されるので、リング状部は変位せず、良好な初期位置を維持できる。従って、トップ送風ノズルが振動または傾斜動作しても容易に変位せず誤検知しないリング状検知体を備えた洗車機を得ることができる。
【００１７】
また本発明は、上記構成の洗車機において、前記支持部は、前記ノズル本体の上面に装着するベース部材と、このベース部材と所定間隔離間して装着される対向面体とを有し、ベース部材と対向面体との間に前記リング固定部材を摺動可能に嵌め込み、前記ベース部材に前記リング固定部材の前方部と後方部の二か所を下方から支持するリング支持部を設けていることを特徴としている。この構成によると、ベース部材と対向面体との間にリング固定部材を装着し、リング固定部材を２点支持しているので、トップ送風ノズルが傾斜動作しても、リング状検知体を安定して支持することが可能になる。
【００１８】
また本発明は、上記構成の洗車機において、前記リング固定部材は、前記リング状部の上部中央部の所定間隔離間した２点を保持する前方取付部と後方取付部を備え、前方取付部と後方取付部との中間に付勢手段取付部を設け、この付勢手段取付部の上方に前記ピン部材を装着したことを特徴としている。この構成によると、リング状部の上部を支持すると共に、この中間部分の上方にピン部材を装着して下方に付勢してリング状検知体の初期位置を規定しているので、１個の付勢手段によりリング状検知体の初期位置を安定して維持可能になる。
【００１９】
また本発明は、上記構成の洗車機において、前記付勢手段は、その一端側を前記ベース部材に固定し、他端側を前記付勢手段取付部に固定するコイルスプリングから成ることを特徴としている。この構成によると、１本のコイルスプリングによりリング状検知体の初期位置および変位姿勢を良好に保持することが可能になる。
【００２０】
また本発明は、上記構成の洗車機において、前記検知手段は、前記ピン部材が前記底部ガイド面からの離反を検知することにより前記リング状部の変位を検知することを特徴としている。この構成によると、リング状部が車体表面に接触した際には、初期位置にあるピン部材が底部ガイド面から離れる方向に移動するので、このピン部材の変位を検知手段を介して検知することにより、トップ送風ノズルの移動を停止して速やかに車体表面から離反させることができる。
【００２１】
また本発明は、上記構成の洗車機において、前記ベース部材と対向面体との両方に前記三角溝状ガイド部を設けたことを特徴としている。この構成によると、ピン部材の両端を摺動可能に支持できるので、リング状検知体をより安定して支持することが可能になる。
【発明の効果】
【００２２】
本発明によれば、リング状検知体のリング固定部材に設けるピン部材を三角溝状ガイド部により摺動可能に支持しているので、トップ送風ノズルのノズル本体の周囲を巻回するように配設されるリング状部を有するリング状検知体を備えた洗車機において、トップ送風ノズルが振動または傾斜動作しても容易に変位せずに誤検知しないリング状検知体を備えた洗車機を得ることができる。
【図面の簡単な説明】
【００２３】
【図１】本発明に係る洗車機の概略側面図である。
【図２】本発明に係る洗車機の概略正面図である。
【図３】本発明に係るリング状検知体を備えたトップ送風ノズルの構成を示す概略断面図である。
【図４Ａ】リング状検知体の要部を示す正面図である。
【図４Ｂ】リング状検知体の要部を示す側面図である。
【図４Ｃ】リング状検知体の要部を示す背面図である。
【図５Ａ】リング状部の変位に伴うピン部材の位置変化を説明する概略説明図である。
【図５Ｂ】リング状部の変位に伴うピン部材の位置変化を説明する概略説明図である。
【図５Ｃ】リング状部の変位に伴うピン部材の位置変化を説明する概略説明図である。
【図６】トップ送風ノズルが傾斜動作した際の様子を説明する概略説明図である。
【発明を実施するための形態】
【００２４】
以下に本発明の実施形態を図面を参照して説明する。また、同一構成部材については同一の符号を用い、詳細な説明は適宜省略する。
【００２５】
本実施形態に係る洗車機ＷＡは、図１の概略側面図および図２の概略正面図に示すように、左右の対向する２つのスタンド部９０の上端を連結する天井部９１を有して門型に形成される洗車機本体（本体部）１を備える。洗車機本体１の進入経路上にはリモートパネル７Ａが配される。被洗浄車両ＣＡはリモートパネル７Ａの面前で停車し、リモートパネル７Ａの操作によって洗車の受け付け等を行う。
【００２６】
洗車機本体１の底面には地面に設けられた左右一対のレール２上に配される車輪３が設けられる。これにより、洗車機本体１はレール２上を走行して被洗浄車両ＣＡに対して前後に相対移動するように立設される。
【００２７】
洗車機本体１には被洗浄車両ＣＡをブラッシングする複数のブラシ洗浄具を設けている。ブラシ洗浄具はトップブラシ４、サイドブラシ５及びロッカーブラシ６から成っている。トップブラシ４は被洗浄車両ＣＡの上面をブラッシングして洗浄し、布（織布、編布、不織布等）や樹脂繊維から成るブラシ体を放射状に固着して形成される。
【００２８】
サイドブラシ５は左右一対設けられ、被洗浄車両ＣＡの両側面と前後面に摺動して被洗浄車両ＣＡを洗浄する。ロッカーブラシ６は左右一対設けられ、被洗浄車両ＣＡのタイヤを含む側面下部を洗浄する。サイドブラシ５及びロッカーブラシ６もトップブラシ４と同様の回転軸及びブラシ体を有している。
【００２９】
洗車機本体１の一方の側方には洗剤やワックス等の各種液剤を貯液する複数の貯液タンク（不図示）を収納するタンク収納部１７が配される。タンク収納部１７の上方には市水及び各貯液タンクからの液剤を電磁弁等を介して分配する分配配管部１８が設けられる。分配配管部１８には第１、第２浄水ノズル１１、１３、第１、第２洗剤ノズル１２、１５、撥水コートノズル１４、ワックスノズル１６が導出される。洗車機本体１の後方には洗浄液や高圧空気を供給する供給部（不図示）が設けられ、分配配管部１８に接続される。洗浄液は市水だけでなく、洗剤やワックス等の各種液剤と混合されてもよい。
【００３０】
第１、第２浄水ノズル１１、１３は洗車機本体１の手前側及び奥側にそれぞれ配され、被洗浄車両ＣＡに対して市水を噴射する。第１、第２洗剤ノズル１２、１５は洗車機本体１の手前側及び奥側にそれぞれ配され、被洗浄車両ＣＡに対して洗剤を噴射する。撥水コートノズル１４は洗車機本体１の奥側に配され、被洗浄車両ＣＡに対して撥水コート剤を噴射する。ワックスノズル１６は洗車機本体１の奥側に配され、被洗浄車両ＣＡに対してワックスを噴射する。
【００３１】
また、洗車機本体１には被洗浄車両ＣＡを乾燥させる送風ノズルとしてトップ送風ノズル２１とサイド送風ノズル２２とを設けている。洗車機本体１の門型内部の上部にトップ送風ノズル２１が設けられ、門型内部の両側方にサイド送風ノズル２２が設けられる。トップ送風ノズル２１及びサイド送風ノズル２２はブロワ２０からの送風を被洗浄車両ＣＡに対して吹き付けて乾燥させる。
【００３２】
洗車機本体１の前面上部には車両センサ８が設けられている。車両センサ８は光電センサや超音波センサ等から成り、洗車機本体１に進入する被洗浄車両ＣＡを検知する。また、洗車機本体１の入り口部に、被洗浄車両ＣＡの外形を検出する外形検出部９を設ける構成であってもよい。
【００３３】
洗車機本体１の一方の側方の前面には操作パネル７が配される。操作パネル７はリモートパネル７Ａと同様の操作ボタンを備え、被洗浄車両ＣＡから降車したユーザ等の操作により洗車の受け付けや洗車条件の設定を行う。
【００３４】
洗車条件の設定としてはシャンプー、ワックス掛け、撥水コート等を水洗いに追加するボタンが操作パネル７及びリモートパネル７Ａに設けられる。また、高級なシャンプー、高級なワックス（例えば、艶出しコーティング）、高級な撥水コート、特殊なコート等を行うボタンも設けられている。さらに、フロントガード有り、フェンダーポール有り、ドアミラー有り、リヤワイパー有り、該当装備品無し等の装備品設定ボタンが設けられている。
【００３５】
また、サイドブラシ５は、揺動ブラシホルダを介して揺動可能に吊り下げられ、左右方向に摺動可能な構成とされており、当初は被洗浄車両ＣＡから離れた開位置にあるサイドブラシ５を閉位置方向（車両の側面に近接する方向）に移動し、被洗浄車両ＣＡの側面に当接させ、さらに移動させると徐々に傾いていく（所定角度揺動する）。そのために、所定角度揺動した位置で閉方向への移動を停止し、この位置から所定の戻し距離、開方向に移動した位置で回転させて洗浄を行う。
【００３６】
左右一対のサイドブラシ５は、それぞれが個別の駆動モータを有し、それぞれ個別に駆動制御される。そのために、左右のそれぞれのサイドブラシ５を被洗浄車両ＣＡの側面に当接して所定角度傾斜させた後、所定距離戻してその傾斜を小さくした位置でそれぞれのサイドブラシ５を回転操作して、側面への押し付け強さを緩和して車両の両側面の洗車を行うことができる。また、この際にこの洗浄する傾斜した姿勢を維持するために、ウエイトの付勢力を利用して押し付け強さを得る場合もある。
【００３７】
トップブラシ４も、個別の駆動モータを有しており、ブラシ体を被洗浄車両ＣＡの上面に当接させた状態で、回転駆動して洗浄する。また、洗浄後に乾燥用空気を吹き付ける各送風ノズルもそれぞれ車体表面に接近可能に構成される。そのために、トップ送風ノズル２１は上下方向に昇降可能な構成とされ、前述した車両センサ８や外形検出部９などにより検知された車両形状に応じて、また、トップ送風ノズル２１に設ける車体検知センサの検知信号に応じて昇降駆動される。
【００３８】
外形検出部９は、例えば、洗車機本体１の一方の側部の上下方向に配設する投光器９ａと、他方の側部の上下方向に配設する受光器９ｂを有する透過式光電センサからなるエリアセンサを用いており、投光器９ａと受光器９ｂの間に位置する被洗浄車両ＣＡの車形（外形）を検出する。
【００３９】
トップ送風ノズル２１は、被洗浄車両ＣＡの上面に沿って移動しながら乾燥用空気を吹き付けるので、平坦な天井部に加えて、傾斜したフロントガラス面やリアガラス面などにも容易に対応して昇降移動および傾斜移動しながら安全に、また確実に操作することが求められる。そのために、本実施形態においては、トップ送風ノズル２１を昇降可能に、また傾斜可能に構成し、さらに、トップ送風ノズル２１が車体表面に接近し過ぎた時に、先に車体表面に安全に接触して異常に接近したことを検知可能なリング状検知体３０を設けた構成としている。
【００４０】
そこで、本実施形態に係るリング状検知体３０の構成について図３および図４Ａを用いて詳細に説明する。トップ送風ノズル２１を昇降可能、傾斜可能に支持する構成は従来公知であるのでここでは詳述しない。
【００４１】
図３に示すように、本実施形態に係るトップ送風ノズル２１は、乾燥用空気を吹き出す吹出部２１ｂを備えたノズル本体２１ａの天板部にリング状検知体３０を装着している。リング状検知体３０は支持部ＳＤを構成するベース部材３３を備えており、このベース部材３３を介してノズル本体２１ａの天板部に固定する。
【００４２】
リング状検知体３０は、ノズル本体２１ａの下方、前方および後方に位置するリング状部３１と、該リング状部３１をノズル本体２１ａに対する上方向と回動する方向に移動可能に支持する支持部ＳＤと、リング状部３１の変位を検知する検知手段Ｓ１（図４Ｂ参照）と、を有する。また、リング状部３１はリング固定部材３２に固定されており、この固定部材３２にピン部材３６を装着している。
【００４３】
支持部ＳＤは、ノズル本体２１ａの上面に装着するベース部材３３と、このベース部材３３と所定間隔離間して装着される対向面体３４とを有し、ベース部材３３と対向面体３４との間にリング固定部材３２を摺動可能に嵌め込み、ベース部材３３にリング固定部材３２の前方部と後方部の二か所を下方から支持するリング支持部３８Ａ、３８Ｂを設けている。この構成であれば、ベース部材３３と対向面体３４との間にリング固定部材３２を装着し、リング固定部材３２を２点支持するので、トップ送風ノズル２１が傾斜動作しても、リング状検知体３０を安定して支持することが可能になる。
【００４４】
また、図４Ａ、図４Ｂに示すように、リング固定部材３２にピン部材３６を設け、ピン部材３６を下方に付勢するように、ベース部材３３に設ける付勢手段取付部４０とリング固定部材３２に設ける付勢手段取付部３１ｃとに懸架する付勢手段３７を設置している。
【００４５】
ピン部材３６は、対向面体３４とベース部材３３の少なくとも一方または両方に設ける三角溝状ガイド部３５（３５Ａ、３５Ｂ）に摺動自在に支持される。この三角溝状ガイド部３５（３５Ａ、３５Ｂ）は、底部ガイド面３５ａと該底部ガイド面３５ａから左右の上方に傾斜して延設される傾斜ガイド面３５ｂとを備えたテーパ形状が好ましく、例えば図示するように、下方に頂部を有する逆三角形とされる。ただし、底部ガイド面３５ａと傾斜ガイド面３５ｂとを備えた形状であればその他の形状でよく、下方に頂部を有するテーパ状のガイド形状であればよい。
【００４６】
リング状部３１は１本の周回リングであってもよいが、図示するように一部を省いて、その両端をリング固定部材３２に固定する構成であってもよい。例えば、リング状部３１の上部中央部の所定間隔離間した２点を固定する（ネジ固定する）前方取付部３１ａと後方取付部３１ｂを設け、前方取付部３１ａと後方取付部３１ｂとの中間に付勢手段取付部３１ｃを設けるとよい。
【００４７】
また、この付勢手段取付部３１ｃの上方にピン部材３６を装着していることが好ましい。この構成であれば、リング状部３１の上部を２点固定すると共に、この２点の中間部分の上方にピン部材３６を装着して下方に付勢することによりリング状部３１の初期位置（中立位置）を規定しているので、１個の付勢手段３７によりリング状検知体３０の中立位置を安定して維持可能になる。
【００４８】
付勢手段３７は、例えばスプリングであり、その一端側をベース部材３３に設ける付勢手段取付部４０に懸架し、他端側を付勢手段取付部３１ｃに懸架するコイルスプリングから成ることが好ましい。この構成であれば、１本のコイルスプリングによりリング状検知体３０の初期位置および変位姿勢を良好に保持することが可能になる。
【００４９】
上記したように、本実施形態によれば、トップ送風ノズル２１に設けるリング状検知体３０のリング状部３１が車体表面に接触した際には、このリング状部３１の変位を検知手段Ｓ１を介して検知することにより、トップ送風ノズル２１の移動を停止して速やかに車体表面から離反させることができる。また、リング状部３１が回動する方向に変位する場合には、ピン部材３６が三角溝状ガイド部３５の傾斜ガイド面３５ｂに沿って摺動移動するので、リング状部３１を滑らかに変位させることが可能になる。また、トップ送風ノズル２１が傾斜しても、ピン部材３６が底部ガイド面方向に付勢されて初期位置が固定されるので、リング状部３１は変位せず、良好な初期位置（中立位置）を維持できる。従って、トップ送風ノズル２１が振動または傾斜動作しても容易に変位せず誤検知しないリング状検知体３０を備えた洗車機ＷＡを得ることができる。
【００５０】
次に、リング状部３１の変位を検知する構成について図４Ｂ、図４Ｃを用いて説明する。
【００５１】
図４Ｂに示すように、ベース部材３３と対向面体３４とは所定間隔Ｗ離間して一体に組み付けられている。例えば、長さがＷのスペーサ３９を介装して対向面体３４をベース部材３３にネジ固定することにより実現できる。また、３８はスペーサ機能に加えてリング状部３１を摺動支持する機能を有する所定長さの樹脂パイプから成るリング支持部３８（３８Ａ、３８Ｂ）である。すなわち、ベース部材３３と対向面体３４とは長さＷのスペーサ３９とリング支持部３８（３８Ａ、３８Ｂ）を介して所定間隔Ｗ離間して一体に組み付けられる。
【００５２】
リング固定部材３２は断面Ｕ字状の板金製であって、その外幅は所定間隔Ｗよりも少し小さく設計される。従って、リング固定部材３２は、ベース部材３３と対向面体３４との間に摺動可能に嵌め込まれる構成となる。また、断面Ｕ字状の本体胴部を貫通するようにピン部材３６が装着されている。
【００５３】
ピン部材３６は、その両端部をベース部材３３と対向面体３４とから突出させる長さを有しており、一方の端部３６ｂは対向面体３４に設ける三角溝状ガイド部３５Ａに係合するガイド部材を成し、他方の端部３６ａはベース部材３３に設ける三角溝状ガイド部３５Ｂから突出して、検知手段Ｓ１により検知される被検知部を成す。
【００５４】
検知手段Ｓ１は、ピン部材３６が底部ガイド面３５ａから離反した時にリング状部３１の変位を検知する。この構成であれば、リング状部３１が車体表面に接触した際には、底部ガイド面３５ａ付近に位置して検知手段Ｓ１に近接した初期位置にあるピン部材３６が底部ガイド面３５ａから離れる方向に移動するので、このピン部材３６の変位を検知手段Ｓ１を介して検知することにより、トップ送風ノズル２１の移動を停止して速やかに車体表面から離反させることができる。
【００５５】
検知手段Ｓ１は、例えば、近接スイッチから成り、端部３６ａが所定距離以内にあればＯＮとなり、所定距離以上離れたらＯＦＦとなる。また、検知手段Ｓ１を設置しているベース部材３３に設ける開口部は、単に、ピン部材３６を突出させる開口部であってもよいが、対向面体３４に設ける三角溝状ガイド部３５Ａと同じ形状の三角溝状ガイド部３５Ｂの方が好ましい。これは、ベース部材３３に三角溝状ガイド部３５Ｂを設けた構成であれば、ピン部材３６の両側の端部３６ａ、３６ｂを共に三角溝状ガイド部３５Ａ、３５Ｂを介して、ピン部材３６の両端を摺動可能に支持できるので、リング状検知体３０をより安定して支持可能になるからである。
【００５６】
また、図中の想像線に示すカバー４１を設けることが好ましい。カバー４１は、ベース部材３３と対向面体３４を含む支持部ＳＤの全体をカバーし、リング状部３１の変位を可能にし、検知手段Ｓ１のケーブルＳ１ａを挿通する開口部を備えた板金製から成る。このカバー４１は、例えば、ベース部材３３の側面板に設けるネジ固定部４２を利用して固定できる。
【００５７】
図４Ｃに示すように、検知手段Ｓ１はベース部材３３の三角溝状ガイド部３５Ｂの直下に設置されており、三角溝状ガイド部３５Ｂの底部ガイド面３５ａ近辺に位置するピン部材３６を検知する。また、付勢手段３７を介してリング固定部材３２をリング支持部３８（３８Ａ、３８Ｂ）に押さえ付けるように付勢しているので、リング固定部材３２をベース部材３３と対向面体３４との間に摺動可能に嵌め込む構成であっても、ピン部材３６が底部ガイド面３５ａ付近に位置する状態に保持可能になる。
【００５８】
また、ベース部材３３は底面板３３ａと正面板３３ｂに加えて、正面板３３ｂの両側に側面板３３ｃを有する折り曲げ構成の板金製であって、高い枠体強度を有すると共に、折り曲げ構成された側面板３３ｃが正面板３３ｂに取り付ける検知手段Ｓ１を保護する機能も発揮する。
【００５９】
次に、上記のように構成されるリング状部３１の変位の様子について図５Ａ〜図５Ｃを用いて説明する。図５Ａはリング状部３１が初期位置つまり中立位置にある状態を示し、図５Ｂはリング状部３１が真上に移動した状態を示し、図５Ｃはリング状部３１が回動した状態を示す。
【００６０】
図５Ａに示す初期位置においては、リング固定部材３２がリング支持部３８（３８Ａ、３８Ｂ）に当接してリング状部３１の両側が平行な姿勢である。この状態から上向きの外力が作用すると、例えば、トップ送風ノズル２１が下降し過ぎてリング状部３１の下方が車体の表面に当接した場合には、図５Ｂに示すように上向きの外力Ｄ１が作用し、付勢手段３７の付勢力に抗してリング状部３１とリング固定部材３２が上方に移動し、ピン部材３６が底部ガイド面３５ａから離れる。
【００６１】
この場合、ピン部材３６は底部ガイド面３５ａから離れて三角溝状ガイド部３５の空域内部に位置する。この際に、ピン部材３６が底部ガイド面３５ａから離れるので、検知手段Ｓ１がＯＦＦとなりリング状部３１が変位したことを検知する。そして、この状態では、リング状部３１の下方が車体表面に当接して生じる上向きの外力Ｄ１と付勢手段３７による付勢力とが釣り合う位置にリング状部３１が規定される。
【００６２】
次に、リング状部３１が横方向に外力を受けると、例えば、トップ送風ノズル２１が水平方向に移動している時にリング状部３１が車体表面や付属品などに接触した場合には、図５Ｃに示すようにリング状部３１を回動する向きに外力Ｄ２が作用し、付勢手段３７の付勢力に抗してリング状部３１が側方に移動し、ピン部材３６が底部ガイド面３５ａから離れて傾斜ガイド面３５ｂを摺動移動する。
【００６３】
この際に、外力が図示するような左回りの外力Ｄ２であれば、リング固定部材３２はリング支持部３８Ａとの当接状態を維持し他方のリング支持部３８Ｂからは離れる方向に回動する。すなわち、リング支持部３８Ａとの当接部を回転中心にしてリング状部３１が回転移動する。同時に、検知手段Ｓ１がＯＦＦとなりリング状部３１が異常に変位したことを検知する。
【００６４】
この場合、ピン部材３６は傾斜ガイド面３５ｂを摺動しながら移動するので、ピン部材３６が移動中に引っ掛かったりして移動停止したりせず、スムーズに移動可能になる。そのために、本実施形態によれば、リング状部３１の変位移動が容易にまた確実に行える構成となって好ましい。
【００６５】
次に、トップ送風ノズル２１が傾斜動作した時の様子について図６を用いて説明する。
【００６６】
図６に示すように、トップ送風ノズル２１が図示しない傾斜装置により角度θ傾斜動作すると、リング状部３１は付勢手段３７の付勢力とリング支持部３８（３８Ａ、３８Ｂ）による２点支持により、ノズル本体２１ａの傾斜姿勢に応じた傾斜した姿勢を容易に、また確実に維持できる。
【００６７】
従って、この状態でトップ送風ノズル２１が車体表面に接近し異常に接近し過ぎた場合には、リング状部３１が先に車体表面に当接して容易に変位することになる。すなわち、ノズル本体２１ａが車体表面に接触する前に、この異常接近を検知できる。
【００６８】
リング状部３１は、小径（例えば、直径が８〜１２ｍｍ程度）のパイプ材から成り、接触時に車体を傷付けないように保護チューブにより被覆された従来公知の構成であればよい。また、その外形は円形でもよく、図示するようにノズル本体２１ａの周囲を略等しい間隔で取り囲む環状であってもよく、特には限定されない。
【００６９】
以上、説明したように、本発明は、被洗浄車両ＣＡの表面に沿って移動しながら乾燥用空気を吹き出すトップ送風ノズル２１を備え、被洗浄車両ＣＡと洗車機本体１を前後方向に相対移動させながら被洗浄車両ＣＡの洗車を行う洗車機ＷＡであって、前記トップ送風ノズル２１は、乾燥用空気を吹き付ける吹出部２１ｂを備えたノズル本体２１ａと、該ノズル本体２１ａの下方、前方および後方に位置するリング状部３１と、該リング状部３１を保持するリング固定部材３２と、当該リング状部３１を前記ノズル本体２１ａに対する上方向と回動する方向に移動可能に支持する支持部ＳＤと、前記リング状部３１の変位を検知する検知手段Ｓ１と、を有するリング状検知体３０と、を備え、前記支持部ＳＤに、前記リング固定部材３２に設けるピン部材３６を摺動支持すると共に底部ガイド面３５ａと該底部ガイド面３５ａから左右の上方に傾斜して延設される傾斜ガイド面３５ｂとを備えた三角溝状ガイド部３５を設け、さらに、前記ピン部材３６を前記底部ガイド面方向に付勢する付勢手段３７を設けたことを特徴としている。
【００７０】
この構成によれば、トップ送風ノズル２１に設けるリング状検知体３０のリング状部３１が車体表面に接触した際には、このリング状部３１の変位を検知手段Ｓ１を介して検知することにより、トップ送風ノズル２１の移動を停止して速やかに車体表面から離反させることができる。また、リング状部３１が回動する方向に変位する場合には、ピン部材３６が三角溝状ガイド部３５の傾斜ガイド面３５ｂに沿って摺動移動するので、リング状部３１を滑らかに変位させることが可能になる。また、ノズル本体２１ａが傾斜しても、ピン部材３６が底部ガイド面方向に付勢されて初期位置が固定されるので、リング状部３１は変位せず、良好な初期位置を維持できる。従って、トップ送風ノズル２１が振動または傾斜動作しても容易に変位せず誤検知しないリング状検知体３０を備えた洗車機ＷＡを得ることができる。
【００７１】
また、本発明によれば、リング状部３１をリング固定部材３２に固定し、このリング固定部材３２の前記三角溝状ガイド部３５の下方に位置する部分を２点支持し、この２点の中間部に付勢手段３７を介装して初期位置に規定しているので、１個の付勢手段３７によりリング状部３１の初期位置（中立位置）を安定して維持可能なリング状検知体３０になる。従って、トップ送風ノズル２１が振動または傾斜動作しても、より確実に誤検知しない構成となって好ましい。
【００７２】
上記したように本発明によれば、リング状検知体のリング固定部材に設けるピン部材を底部ガイド面と傾斜ガイド面を有する三角溝状ガイド部により摺動可能に支持し、ピン部材を底部ガイド面方向に付勢しているので、トップ送風ノズルが振動または傾斜動作しても容易に変位せずに誤検知しないリング状検知体を備えた洗車機を得ることができる。
【産業上の利用可能性】
【００７３】
そのために、本発明に係る洗車機は、トップ送風ノズルを車体表面に安全に、また、確実に接近させて良好な乾燥効果を発揮することが求められる洗車場の洗車機に好適に適用される。
【符号の説明】
【００７４】
１    洗車機本体
２    レール
３    車輪
４    トップブラシ
５    サイドブラシ
２１    トップ送風ノズル
２１ａ  ノズル本体
３０    リング状検知体
３１    リング状部
３２    リング固定部材
３３    ベース部材
３４    対向面体
３５    三角溝状ガイド部
３５ａ  底部ガイド面
３５ｂ  傾斜ガイド面
３６    ピン部材
３７    付勢手段
３８、３８Ａ、３８Ｂ    リング支持部
ＣＡ    被洗浄車両
ＷＡ    洗車機
ＳＤ    支持部
Ｓ１    検知手段
【図１】
2015116996.tif 000003
【図２】
2015116996.tif 000004
【図３】
2015116996.tif 000005
【図４Ａ】
2015116996.tif 000006
【図４Ｂ】
2015116996.tif 000007
【図４Ｃ】
2015116996.tif 000008
【図５Ａ】
2015116996.tif 000009
【図５Ｂ】
2015116996.tif 000010
【図５Ｃ】
2015116996.tif 000011
【図６】
2015116996.tif 000012